(57)【要約】【課題】  害虫の被害にあった廃棄樹木の処理に、多大なコストが要らず、また有効利用することができる、収容体と廃棄樹木の処理方法を提供すること。【解決手段】  害虫の被害にあった廃棄樹木２０を収容する収容体１０であって、廃棄樹木２０が透過しない開口を有する素材で箱状に形成した篭体４０と、前記篭体４０を被覆し、害虫の透過を阻止可能な微孔を有する素材で形成した封入シート３０とにより構成したことを特徴とする、収容体１０である。【選択図】図１
2005210910.tif 000002
【特許請求の範囲】
【請求項１】
害虫の被害にあった廃棄樹木を収容する収容体であって、
廃棄樹木が透過しない開口を有する素材で箱状に形成した篭体と、
前記篭体を被覆し、害虫の透過を阻止可能な微孔を有する素材で形成した封入シートとにより構成したことを特徴とする、
収容体。
【請求項２】
請求項１に記載の収容体において、前記篭体が金網製であることを特徴とする、収容体。
【請求項３】
請求項１または請求項２に記載の収容体を使用し、害虫の被害にあった廃棄樹木を処理する方法であって、
前記収容体に廃棄樹木を収容して封入し、
前記廃棄樹木を収容した収容体を土木構造物の代替材として用いることを特徴とした、
廃棄樹木の処理方法。
【請求項４】
請求項３において、廃棄樹木を収容して封入した収容体を埋設したことを特徴とする、  廃棄樹木の処理方法。
【発明の詳細な説明】
【技術分野】
【０００１】
本発明は、収容体と廃棄樹木の処理方法に関するものである。
【背景技術】
【０００２】
松くい虫の被害にあった樹木は、木材の辺材部にセンチュウ等により多数の細孔が形成されて、著しく低密化しているため、用材としては有効利用できない。
そのためにこの種の樹木は焼却処分や埋設処理、或いはくん蒸処理しているが、処理コストがかさむ問題が指摘されている。
また、耐久性・耐火性機能を付与すべく、種々の機能性付与材を含浸させることも試みられているが、いずれも特別の設備等を要するもので、機能性付与材を含浸した木材は簡易に得ることができなかった。
また害虫被害にあった種目だけでなく、被圧木、雪折れ木、伐採木（以下、総称して「廃棄樹木」という。）も同様である。
【発明の開示】
【発明が解決しようとする課題】
【０００３】
従来の廃棄樹木の処理方法にあっては、焼却や埋設処理に多大な費用がかかり、また有効利用するためにはコストが高くつくため、より有効な処理方法の開発が望まれている。
【課題を解決するための手段】
【０００４】
上記のような課題を解決するために、本発明の収容体は、害虫の被害にあった廃棄樹木を収容する収容体であって、廃棄樹木が透過しない開口を有する素材で箱状に形成した篭体と、前記篭体を被覆し、害虫の透過を阻止可能な微孔を有する素材で形成した封入シートとにより構成したことを特徴とするものである。
【０００５】
また、本発明の収容体は、前記した収容体において、前記篭体が金網製であることを特徴とするものである。
【０００６】
また、本発明の廃棄樹木の処理方法は、前記した収容体を使用し、害虫の被害にあった廃棄樹木を処理する方法であって、前記収容体に廃棄樹木を収容して封入し、前記廃棄樹木を収容した収容体を土留め等土木構造物の代替材としてまた、緑化の基盤として用いることを特徴としたものである。
【０００７】
また、本発明の廃棄樹木の処理方法は、廃棄樹木を収容して封入した収容体を埋設したことを特徴とするものである。
【発明の効果】
【０００８】
本発明の収容体は、害虫の透過が阻止可能な封入シートで、篭体を被覆したものであり、この収容体に廃棄樹木を収容して封入し、土木構造物の代替材として用いるものである。そのため、廃棄樹木についた害虫による被害の拡大を防止でき、またこれを構造体又は濾過機能を備えた代替材として利用できる。さらに収容する廃棄樹木と金網篭の隙間に植生マット（封入シート）を挿入し、細礫や良質土を充填することによって、構造部の安定度を高めることができ、また緑化することによって持続的効果も期待できる。
また、特殊な薬剤を使用したり、廃棄樹木入りの収容体を奥深くへと埋設する必要もないため、費用が多くかかることはない。
さらに、廃棄樹木としての有機体を炭素として地中に一定期間貯えることで、ＣＯ２削減に貢献できる。
【発明を実施するための最良の形態】
【０００９】
以下、図面を参照しながら本発明の実施の形態について説明する。
【００１０】
＜１＞発明の概要
本発明に係る収容体１０は、図１に示すように、篭体４０と、篭体４０を被覆し、害虫の透過を阻止可能な微孔を有する素材で形成した封入シート３０と、より構成するもので、この収容体１０に害虫の被害にあった廃棄樹木２０を収容して、土木構造物の代替物として用いるものである。
封入シート３０による被覆形態は、篭体４０の内・外面を問わず被覆できるが、好ましくは内面に被覆する方が良い。また封入シート３０は、必ずしも篭体４０の全面に被覆する必要はなく、一部だけに被覆する形態としても良い。封入シートには種肥土を貼着させることによって植生回復の緑化資材となる。
収容体１０の大きさは、使用目的や使用用途等によって適宜選択する。
以下、本発明を構成する各部について詳述する。
【００１１】
＜２＞廃棄樹木（図１）
本例では廃棄樹木２０が、害虫（松くい虫）の被害にあった樹木を一例に説明する。
【００１２】
松くい虫は、マツノザイセンチュウという体長１ｍｍにも満たないセンチュウと、センチュウを松から松へ運ぶマツノマダラカミキリというカミキリ虫とを合わせたものを指し、またマツノマダラカミキリにあっては成虫から幼虫までを含む。
松くい虫による被害は、センチュウが松の樹木内に入ることで引き起こされ、このセンチュウはマツノマダラカミキリによって松から松へ運ばれ、被害が拡大する構造となっている。本発明は、この松くい木についたセンチュウとカミキリの両方を駆除することができ、被害の進行と拡大を同時に防止できるものである。
廃棄樹木２０は、必要に応じて収容体１０に収容可能な大きさに切断して用いる。
【００１３】
＜３＞篭体（図１）
篭体４０は、廃棄樹木２０が透過しない開口を有する素材で箱状に形成したものである。篭体４０は、たとえば亜鉛、亜鉛アルミ合金、又はアルミニウムを鍍金した鋼線からなる溶接金網製のものが使用でき、上面に開閉自在な蓋４１を備えた、六面からなる方形のかご状に形成する。
篭体４０は通常有底構造とするが、用途に応じて形態を変えても良い。たとえばこの収容体１０を山岳地の側溝内に配置して利用する場合は、収容する廃棄樹木２０が外に流出しなければ、底板や蓋４１を省略した形態とすることもできる。
【００１４】
篭体４０内は、仕切板を縦横に設置して、小さな区画を形成しても良い（図示せず）。仕切体は篭体４０の内空を整然と分割するほか、篭体４０の孕み出し防止にもなる。
また、篭体４０には取手をつけて、持ち運びを容易にしても良い。
【００１５】
以上のような篭体４０は、側面、底面、蓋４１など各構成部材の一辺を相互に回転可能に連結して、折畳み式に構成し、現場で箱状に組み立てるようにしても良い。
或いは、平状および側面と底面の一部を構成する一対のＬ字形網で、突き合せた一対のＬ字形網の開放端を閉鎖する帯状の側網とを組み合わせて箱状に形成したものを用いても良い。
これによって、より経済的に施工現場への搬入ができるようになる。
篭体４０は、特にその素材や形状、寸法等について限定するものではない。
【００１６】
＜４＞封入シート（図１）
封入シート３０は、害虫の透過を阻止可能な微孔を有する素材で形成し、廃棄樹木２０を内部に収容するシート材であり、あわせて植生発達を可能とする緑化資材ともなる。
たとえば、廃棄樹木２０に松くい木を使用する場合、松くい虫のうち体長１ｍｍに満たないマツノザイセンチュウが透過できないシート材で形成する。これによって、このセンチュウによる被害の拡大を防止できる。
【００１７】
封入シート３０の形態は任意であるが、たとえば篭体４０の全側面に敷き広げる形態や、篭体４０を構成する一側面を被覆する形態、或いは玉切りした廃棄樹木２０を数本収容できる袋体に形成した形態が採用できる。封入シート３０を袋状にして、篭体４０に廃棄樹木２０を小分けして収容する場合、篭体４０への廃棄樹木２０の出し入れが容易となる。また、袋状にしたシートの内面に特殊な貼着剤をつかい、樹草の種子、肥料などを面的に付着させる。
【実施例１】
【００１８】
つぎに本発明に係る収容体１０を、廃棄樹木２０の処理方法として斜面安定用部材の代替物に使用する例について説明する。
【００１９】
収容体１０を分解した状態で施工現場に搬入する。廃棄樹木２０は長尺材で搬入し、現場で玉切りしても良い。
まず篭体４０を箱状に組み立てる。その後、篭体４０の内部に封入シート３０を敷き広げる。封入シート３０は、端部が箱の外に出るように敷設して、紐などで篭体４０に固定し、その面を被覆する（図１）。
次に、封入シート３０の内部に廃棄樹木２０を並行に並べる。
廃棄樹木２０を収容した後、篭体４０の蓋４１を閉めて、各封入シート３０の端部同士を紐などでしっかりと閉口する。これによって、廃棄樹木２０は封入シート３０封じ込められるため、センチュウが外部に出ることはない。
こうして、廃棄樹木２０を収容体１０に収容して封入する。
廃棄樹木２０は収容体１０に対して水平向き、または鉛直向きのいずれでもよく、その収容方向に制限はない。
同様にして、次々と収容体１０に廃棄樹木２０を収容して封入してゆき、これを斜面５０の傾斜に沿って多段に重ね、斜面５０の安定用部材として用いる（図２）。
【００２０】
本発明によれば、廃棄樹木２０を従来のように薬剤やくん蒸処理など高いコストをかけずに、廃棄樹木２０についたセンチュウおよびカミキリの幼虫を安価に駆除して、被害の拡大を確実に防止できるだけでなく、廃棄樹木２０を有効に利用することができる。この施工により不安定地盤の固定とあわせて、荒廃した林地の植生を促進させることによって、侵食防止や景観改善に役立せることができる。さらに間接的な効果として、木材としての有機体を炭素として地中に一定期間貯え、ＣＯ２削減に貢献できる。
【実施例２】
【００２１】
また、廃棄樹木２０を収容した収容体１０は、河川に配置して使用することもできる。この場合、廃棄樹木２０入りの収容体１０を水路に沿って並べることにより、枯れ葉や小枝などによる目詰まりを防止しつつ、水路の透水を確保することができる。
また、これを山岳地の側溝に配置すれば、側溝の形状保持にもなる。
【００２２】
この用途によれば廃棄樹木２０はフィルタ材としても機能し、汚濁物を効率よく捕捉して流水を浄化できる。さらに、水中に浸漬した廃棄樹木２０と封入シート３０の表面およびその隙間は、微生物の棲家となり、水質浄化を助ける。
このような用途に使用する場合、封入シート３０は小さく小分けした袋体で構成し、この中に廃棄樹木２０を収容すると良い。これによって、廃棄樹木２０が分解してなくなった際、新しい廃棄樹木２０への交換を簡単に行うことができる。
本発明は、各種土木構造物の代替材として使用するものであり、その用途は既述した例に限定されるものではない。
【００２３】
＜その他の実施形態＞
以上の収容体１０は、篭体４０の全側面に封入シート３０を被覆する形態であったが、封入シート３０による被覆は篭体４０の一部のみであっても良い。たとえば、実施例１のように収容体１０を斜面５０に沿って多段積みするような場合には、収容体１０の側面のうち表面に露出する部分のみを封入シート３０で被覆すれば良い（図３）。かかる形態でも害虫を収容体１０に封じ込めつつ、廃棄樹木２０を有効利用して処理することができる。
【００２４】
また、廃棄樹木２０を収容した収容体１０を、平地に埋設する場合や、水中に配置する場合も同様の形態とできる。土中に埋設する場合には、害虫が土を通じて地表面に這い出す危険性を考慮して、地表面から深度５０ｃｍ程度までは篭体４０を封入シート３０で被覆することが好ましい。
【図面の簡単な説明】
【００２５】
【図１】本発明に係る収容体の斜視説明図。
【図２】収容体の実施例の説明図。
【図３】収容体のその他の実施形態の説明図。
【符号の説明】
【００２６】
１０・・収容体
２０・・廃棄樹木
３０・・封入シート
４０・・篭体
【図１】
2005210910.tif 000003
【図２】
2005210910.tif 000004
【図３】
2005210910.tif 000005